(57)【要約】【課題】スペース面及び設置費用面において有利な形態で、都市ガスの供給が停止した場合においても発電部の発電を行うことができる発電システムを提供する。【解決手段】燃料ガスとして都市ガスを供給する都市ガス供給部Ｑと、燃料ガスを用いて発電する発電部Ｍと、発電部Ｍの運転を制御する運転制御部Ｈと、が設けられ、カセットボンベＢからのボンベガスを燃料ガスとして供給するカセットボンベ式ガス供給部Ｐが設けられ、都市ガスを発電部Ｍに供給する都市ガス供給状態とボンベガスを発電部Ｍに供給するボンベガス供給状態とに切換えるガス供給切換部Ｆが設けられている。【選択図】図１
2020107558.tif 000002
【特許請求の範囲】
【請求項１】
燃料ガスとして都市ガスを供給する都市ガス供給部と、
前記燃料ガスを用いて発電する発電部と、
前記発電部の運転を制御する運転制御部と、が設けられた発電システムであって、
カセットボンベからのボンベガスを前記燃料ガスとして供給するカセットボンベ式ガス供給部が設けられ、
前記都市ガスを前記発電部に供給する都市ガス供給状態と前記ボンベガスを前記発電部に供給するボンベガス供給状態とに切換えるガス供給切換部が設けられている発電システム。
【請求項２】
前記発電部が、前記燃料ガスを水素成分が多い改質ガスに改質する改質部と、前記改質ガスが供給されて発電する燃料電池発電部とを備える形態に構成されている請求項１に記載の発電システム。
【請求項３】
前記都市ガス供給状態と前記ボンベガス供給状態とを選択する選択指令を指令する操作部が設けられ、
前記運転制御部が、前記操作部の前記選択指令に基づいて前記ガス供給切換部を切換え操作するように構成され、且つ、前記発電部の運転条件を供給される前記燃料ガスの種別に応じて設定するように構成されている請求項１又は２に記載の発電システム。
【請求項４】
前記カセットボンベ式ガス供給部が、前記カセットボンベを接続する複数のボンベ接続部をガス供給路に対して並列に接続する形態で備えかつ複数の前記ボンベ接続部の夫々と前記ガス供給路との連通を各別に開閉する複数の開閉弁を備えるように構成され、
前記運転制御部が、複数の前記ボンベ接続部を前記ガス供給路に対して択一的に連通させ、且つ、前記ガス供給路に連通する前記ボンベ接続部に接続された前記カセットボンベから前記ボンベガスを供給するガス供給時間が設定継続時間に達するごとに、他の前記ボンベ接続部を前記ガス供給路に連通する状態に切換える形態で、複数の前記開閉弁を開閉制御するように構成されている請求項１〜３のいずれか１項に記載の発電システム。
【請求項５】
前記運転制御部が、複数の前記ボンベ接続部に接続された複数の前記カセットボンベの使用済情報を表示部に表示するように構成されている請求項４に記載の発電システム。
【発明の詳細な説明】
【技術分野】
【０００１】
本発明は、燃料ガスとして都市ガスを供給する都市ガス供給部と、
前記燃料ガスを用いて発電する発電部と、
前記発電部の運転を制御する運転制御部と、が設けられた発電システムに関する。
【背景技術】
【０００２】
かかる発電システムは、都市ガス供給管等の都市ガス供給部から供給される都市ガスを燃料ガスとして発電部に供給して発電することにより、一般家庭や医療施設等において、分散型電源として利用されることになり、また、発電部の排熱を利用した熱供給部を備えて、熱電併給設備として構成されることが多い。
【０００３】
そして、かかる発電システムは、商用電力系統の停電が発生した際には非常用電源として用いることが望まれるものであり、そして、商用電力系統の停電に併せて都市ガスの供給が停止した場合においても、非常用電源として用いることが望まれるものである。
【０００４】
このような発電システムの従来例として、ＬＰガスを燃料ガスとして供給するＬＰガスボンベを設け、都市ガスを発電部に供給する状態とＬＰガスを発電部に供給する状態とに切換えるように構成して、都市ガスの代わりにＬＰガスを発電部に供給することにより、発電部の発電を行えるようにしたものがある（例えば、特許文献１参照。）。
【０００５】
つまり、特許文献１の発電システムにおいては、都市ガスの供給が停止した場合においては、都市ガスの代わりにＬＰガスを発電部に供給することにより、発電部の発電を行えるようにして、非常用電源として用いることができるようにしたものである。
【先行技術文献】
【特許文献】
【０００６】
【特許文献１】特開２０１７−１８８２１６号公報
【発明の概要】
【発明が解決しようとする課題】
【０００７】
従来の発電システムにおいては、都市ガスの代わりにＬＰガスボンベから供給されるＬＰガスを燃料ガスとして使用するものであるが、発電システムの設置箇所にＬＰガスボンベを設置することは、スペース面及び設置費用面において実現し難いものであった。
【０００８】
すなわち、例えば、一般家庭においてＬＰガスを設置するには、庭先やベランダ等にＬＰガスボンベを設置することになるが、大きなＬＰガスボンベを庭先やベランダ等に設置することは、スペース面において実現し難い場合があり、しかも、ＬＰガスボンベを設置するには、専門の業者に依頼して設置することになる等に起因して、設置費用が高くなる虞があり、設置費用面においても実現し難いものとなる等、発電システムの設置箇所にＬＰガスボンベを設置することは、スペース面及び設置費用面において実現し難いものであった。
【０００９】
本発明は、上記実状に鑑みて為されたものであって、その目的は、スペース面及び設置費用面において有利な形態で、都市ガスの供給が停止した場合においても発電部の発電を行うことができる発電システムを提供する点にある。
【課題を解決するための手段】
【００１０】
本発明の発電システムは、燃料ガスとして都市ガスを供給する都市ガス供給部と、
前記燃料ガスを用いて発電する発電部と、
前記発電部の運転を制御する運転制御部と、が設けられたものであって、その特徴構成は、
カセットボンベからのボンベガスを前記燃料ガスとして供給するカセットボンベ式ガス供給部が設けられ、
前記都市ガスを前記発電部に供給する都市ガス供給状態と前記ボンベガスを前記発電部に供給するボンベガス供給状態とに切換えるガス供給切換部が設けられている点にある。
【００１１】
すなわち、都市ガスの供給が停止した場合においては、ガス供給切換部を都市ガス供給状態からボンベガス供給状態に切換えることにより、カセットボンベからのボンベガスを燃料ガスとして発電部に供給して、発電部の発電を行わせることができる。
つまり、都市ガスの供給が停止した場合などにおいて、非常用電源として、発電部を発電させることができる。
【００１２】
そして、カセットボンベは小型で軽量であるから、例えば、発電部を収納する筐体の内部に、発電部と並ぶ状態に設置する等、カセットボンベは大きなスペースを要することなく設置できる。
しかも、カセットボンベは、カセットコンロを扱う小売店等において、安価に購入できるものであり、しかも、カセットボンベは、一般の使用者によって、カセットボンベ式ガス供給部に設置できるものである。
つまり、カセットボンベは、スペース面及び設置費用面において有利な形態で設置できるものである。
【００１３】
要するに、本発明の発電システムの特徴構成によれば、スペース面及び設置費用面において有利な形態で、都市ガスの供給が停止した場合においても発電部の発電を行うことができる。
【００１４】
本発明の発電システムの更なる特徴構成は、前記発電部が、前記燃料ガスを水素成分が多い改質ガスに改質する改質部と、前記改質ガスが供給されて発電する燃料電池発電部とを備える形態に構成されている点にある。
【００１５】
すなわち、燃料ガスが、改質部にて、水素成分が多い改質ガスに改質され、改質ガスが燃料電池発電部に供給されて、燃料電池発電部が発電することになる。
そして、改質部及び燃料電池発電部を備える発電部は、効率良く発電できるため、相対的に二酸化炭素の排出量が少なく、しかも、大きな騒音を発生することなく稼働するものであるから、環境面に優れた状態で発電できる。
【００１６】
要するに、本発明の発電システムの更なる特徴構成によれば、環境面に優れた状態で発電できる。
【００１７】
本発明の発電システムの更なる特徴構成は、前記都市ガス供給状態と前記ボンベガス供給状態とを選択する選択指令を指令する操作部が設けられ、
前記運転制御部が、前記操作部の前記選択指令に基づいて前記ガス供給切換部を切換え操作するように構成され、且つ、前記発電部の運転条件を供給される前記燃料ガスの種別に応じて設定するように構成されている点にある。
【００１８】
すなわち、操作部にて、都市ガス供給状態とボンベガス供給状態とのいずれかを選択する選択指令を指令すれば、運転制御部が、ガス供給切換部を切換え操作して、都市ガスを燃料ガスとして発電部にて発電する状態とカセットボンベからのボンベガスを燃料ガスとして発電部にて発電する状態とに切換えることになる。
【００１９】
したがって、操作部にて選択指令を指令するという簡単な操作にて、都市ガスを燃料ガスとして発電部にて発電する状態とカセットボンベからのボンベガスを燃料ガスとして発電部にて発電する状態とに切換えることができるものであるから、操作の簡便化を図ることができる。
【００２０】
また、運転制御部が、操作部の選択指令に基づいてガス供給切換部を切換え操作することに加えて、発電部の運転条件を供給される燃料ガスの種別に応じて設定するものであるから、都市ガスを燃料ガスとして発電部に供給する都市ガス供給状態及びカセットボンベからのボンベガスを燃料ガスとして発電部に供給するボンベガス供給状態のいずれにおいても、発電部を良好に作動させることができる。
【００２１】
つまり、ブタンを主成分として多く含むボンベガスは、メタンを主成分として多く含む都市ガスよりも熱量（発熱量）が高いものであるから、運転制御部が、例えば、発電部への燃料ガスの単位時間当たりの供給量（流量）を、ボンベガス供給状態においては都市ガス供給状態よりも低下させる等、発電部の運転条件を供給される燃料ガスの種別に応じて設定することにより、都市ガス供給状態及びボンベガス供給状態のいずれにおいても、発電部を良好に作動させることができる。
【００２２】
要するに、本発明の発電システムの更なる特徴構成によれば、操作の簡便化を図りながら、都市ガス供給状態及びボンベガス供給状態のいずれにおいても、発電部を良好に作動させることができる。
【００２３】
本発明の発電システムの更なる特徴構成は、前記カセットボンベ式ガス供給部が、前記カセットボンベを接続する複数のボンベ接続部をガス供給路に対して並列に接続する形態で備えかつ複数の前記ボンベ接続部の夫々と前記ガス供給路との連通を各別に開閉する複数の開閉弁を備えるように構成され、
前記運転制御部が、複数の前記ボンベ接続部を前記ガス供給路に対して択一的に連通させ、且つ、前記ガス供給路に連通する前記ボンベ接続部に接続された前記カセットボンベから前記ボンベガスを供給するガス供給時間が設定継続時間に達するごとに、他の前記ボンベ接続部を前記ガス供給路に連通する状態に切換える形態で、複数の前記開閉弁を開閉制御するように構成されている点にある。
【００２４】
すなわち、カセットボンベ式ガス供給部が備える複数のボンベ接続部の夫々に、複数本のカセットボンベが各別に接続され、それら複数本のカセットボンベのうちの１つのカセットボンベからのボンベガスがガス供給路に供給されて、そのガス供給路から発電部に供給されることになる。
【００２５】
そして、運転制御部が、ガス供給路に連通するボンベ接続部に接続されたカセットボンベからボンベガスを供給するガス供給時間が設定継続時間に達するごとに、他のボンベ接続部をガス供給路に連通する状態に切換える形態で、複数の開閉弁を開閉制御することになる。
【００２６】
したがって、１つのカセットボンベにおけるボンベガスの貯留量は少ないものの、複数のカセットボンベに貯留されているボンベガスを用いて、長時間に亘って継続して発電させることができる。
【００２７】
要するに、本発明の発電システムの更なる特徴構成によれば、ボンベガス供給状態においても長時間に亘って継続して発電させることができる。
【００２８】
本発明の発電システムの更なる特徴構成は、前記運転制御部が、複数の前記ボンベ接続部に接続された複数の前記カセットボンベの使用済情報を表示部に表示するように構成されている点にある。
【００２９】
すなわち、複数の前記ボンベ接続部に接続された複数のカセットボンベの使用済情報が表示部に表示されるから、使用者は、複数のカセットボンベのうちの使用済みのカセットボンベが増えた場合には、使用済みのカセットボンベを未使用の新たなカセットボンベに交換して、ボンベガス供給状態において発電を継続することを良好に行うことができる。
【００３０】
要するに、本発明の発電システムの更なる特徴構成によれば、ボンベガス供給状態において発電を継続することを良好に行うことができる。
【図面の簡単な説明】
【００３１】
【図１】熱電併給システムの構成を示す概略図
【図２】運転制御部の制御作動を示すフローチャート
【発明を実施するための形態】
【００３２】
〔実施形態〕
以下、本発明の実施形態を図面に基づいて説明する。
（熱電併給システムの全体構成）
図１に示すように、熱電併給システムは、燃料ガスを用いて発電する発電部としての燃料電池式発電モジュールＭと、湯水を貯留する貯湯タンクＴと、燃料電池式発電モジュールＭの排熱を回収する排熱回収熱交換器Ｎ、貯湯タンクＴと排熱回収熱交換器Ｎとの間で湯水を循環する湯水循環ポンプＪ、排熱回収熱交換器Ｎにて発生した凝縮水を回収する回収タンクＤ、及び、運転制御部Ｈを、筐体（ケーシング）Ｋの内部に備える形態に構成されている。
【００３３】
（燃料電池式発電モジュールの詳細）
燃料電池式発電モジュールＭは、燃料ガスを脱硫処理する脱硫器１、脱硫器１からの燃料ガスに混合する水蒸気を生成する蒸発部２、水蒸気が混合された燃料ガスを水蒸気改質して改質ガスを生成する改質部３と、改質部３で生成された改質ガスが供給されるマニホールド４、当該マニホールド４より改質ガスが供給されて発電する複数の燃料電池セル５を有するセルスタック６と、セルスタック６からのオフガスを燃焼する燃焼部７とを備えている。
蒸発部２、改質部３、マニホールド４、セルスタック６及び燃焼部７は、高温容器８の内部に収容されている。
【００３４】
脱硫器１は、燃料ガスに含まれる硫黄成分（例えば、都市ガスが含有している付臭剤など）を除去することになり、脱硫器１には、燃料ガスが燃料ガス供給路Ｌ１を通して供給されている。
【００３５】
蒸発部２には、水蒸気改質に用いられる改質用水が改質用水供給路Ｌ２を通して供給される。改質用水供給路Ｌ２を通して蒸発部２に供給される改質用水は、回収タンクＤに貯えられている水である。
蒸発部２には、燃焼部７で発生した燃焼熱が伝達され、その熱によって改質用水の蒸発が行われ、蒸発部２の内部において、生成された水蒸気と燃料ガスとの混合が行われ、混合ガスが混合ガス供給路Ｌ３を通して改質部３に供給される。
【００３６】
改質部３は、燃料ガスの水蒸気改質処理を行い、水素を主成分とする改質ガスを生成する。尚、改質部３にも、燃焼部７で発生した燃焼熱が伝達され、その熱によって改質反応が促進される。
改質部３で生成された改質ガスが、改質ガス供給路Ｌ４を通ってマニホールド４に供給され、マニホールド４に供給された改質ガスが複数の燃料電池セル５（燃料電池発電部の一例）の夫々に分配される。
【００３７】
燃料電池セル５は、燃料極と空気極との間に固体電解質層を備えた固体酸化物形に構成されている。つまり、燃料電池セル５は、改質部３で生成された改質ガスが通流する燃料通流部（図示せず）と空気（即ち、酸化剤）が通流する空気通流部（図示せず）とを備え、燃料通流部を改質ガスが上向きに通流することで燃料極の全体に改質ガスが供給され、空気通流部を上向きに空気が通流することで空気極の全体に空気が供給され、それら改質ガス及び空気が発電反応に用いられ、発電するように構成されている。
【００３８】
セルスタック６は、複数の燃料電池セル５を電気的に直列接続した状態で備える形態に構成されている。
そして、燃料電池セル５において発電反応に供された後の排燃料ガスが、燃料通流部の上端の排出口から排出され、燃料電池セル５において発電反応に供された後の排空気が、空気通流部の上端の排出口から排出される。
【００３９】
セルスタック６の上方には、オフガス（即ち、各燃料電池セル５の燃料通流部から排出される排燃料ガスと空気通流部から排出される排空気）を燃焼させる燃焼空間が、燃焼部７として形成されている。換言すれば、セルスタック６が燃焼部７を形成する構成部材として機能する。
そして、蒸発部２及び改質部３が、燃焼部７に隣接して設けられている結果、上述の如く、燃焼部７で発生する燃焼熱によって、蒸発部２及び改質部３が加熱され、また、セルスタック６が加熱される。
【００４０】
高温容器８の内部には、給気部９を通して空気（酸素）が供給される。つまり、給気部９に、空気（外気）を供給する給気ブロア１０が接続されている。
高温容器８の内部に供給された空気（酸素）は、燃料電池セル５での発電反応に用いられ、また、燃焼部７での排燃料ガスの燃焼に用いられる。
【００４１】
また、高温容器８には、燃焼部７で発生した燃焼排ガスを外部に排出するための排気部１１が形成され、その排気部１１には、燃焼部７で発生した燃焼排ガスが流れる燃焼排ガス路Ｌ５が接続されている。
【００４２】
（電気供給構成の詳細）
セルスタック６からの直流電力を交流電力に変換するインバータなどの電力変換部１２が、セルスタック６に電気的に接続された状態で設けられている。そして、電力変換部１２にて変換された交流電力が、電力線１３を介して、電力負荷装置や電力系統などに供給される。
【００４３】
また、セルスタック６からの直流電力を蓄電する蓄電池１４が設けられており、この蓄電池１４の電力が、運転制御部Ｈの作動用電力や熱電併給システムを起動運転するときの起動運転用電力等に使用されるように構成されている。
【００４４】
（排熱回収構成の詳細）
排熱回収熱交換器Ｎには、高温容器８から排出された燃焼排ガスが流れる燃焼排ガス路Ｌ５が接続され、また、排熱回収熱交換器Ｎには、貯湯タンクＴに接続された湯水循環路１５におけるタンク底部側に接続された往路１５Ａ及びタンク上部側に接続された復路１５Ｂが接続されている。
【００４５】
つまり、排熱回収熱交換器Ｎには、燃焼排ガスと貯湯タンクＴに貯えられている湯水とが供給されて、両者の熱交換が行われるように構成されている。
そして、排熱回収熱交換器Ｎでの熱交換により、燃焼排ガスが冷却され、燃焼排ガスに含まれている水蒸気が凝縮して水となり、その凝縮水を、回収水路Ｌ６を通して自重落下により流動させるように構成され、また、熱交換後の燃焼排ガスを、排ガス放出路Ｌ７を通して外部に放出するように構成されている。
【００４６】
また、湯水循環路１５を通して貯湯タンクＴに貯えられた湯水を循環させる湯水循環ポンプＪが、往路１５Ａに配置する状態で設けられている。
湯水循環路１５の往路１５Ａには、排熱回収熱交換器Ｎに供給される前の湯水を冷却する湯水冷却ラジエータ１６が設けられており、貯湯タンクＴに貯湯されている湯水の温度が高くなっている状態においても、湯水を冷却することにより、排熱回収熱交換器Ｎでの熱交換により、燃焼排ガスを適切に冷却できるように構成されている。
【００４７】
また、回収水路Ｌ６を通して流動する凝縮水を純水に精製する水精製器１７が設けられ、精製された水が改質水として回収タンクＤに回収され、そして、回収タンクＤに回収された改質水を、改質用水供給路Ｌ２を通して蒸発部２に供給する改質水ポンプ１８が設けられている。
【００４８】
（貯湯タンクについて）
貯湯タンクＴに貯湯された湯水が、タンク底部側から取出しかつタンク上部側に戻す形態で、湯水循環路１５を通して排熱回収熱交換器Ｎを経由して循環されることになり、その結果、貯湯タンクＴには、上部ほど温度が高く、下部ほど温度が低い湯水が貯えられる状態、即ち、温度成層を形成する状態で湯水が貯えられるように構成されている。
【００４９】
貯湯タンクＴの上部には給湯路１９が接続されており、その給湯路１９を通って貯湯タンクＴに貯えられている湯水が湯水消費部へと供給される。また、貯湯タンクＴの下部には、水道水等を給水する給水路２０が接続されており、湯水消費部に給湯された分の水が貯湯タンクＴへと補充される。
【００５０】
（燃料ガス供給構成について）
燃料ガス供給路Ｌ１の入口側端部には、燃料ガスとして都市ガスを供給する都市ガス供給部としてのガス導管Ｑに接続された都市ガス供給路Ｌ８及びカセットボンベ式ガス供給部Ｐに接続されたボンベガス供給路Ｌ９が接続されている。
カセットボンベ式ガス供給部Ｐは、カセットボンベＢからのボンベガスを燃料ガスとして供給するように構成されている。
ちなみに、筐体（ケーシング）Ｋにおけるカセットボンベ式ガス供給部Ｐの設置箇所に対応する部分には、開閉蓋Ｋｈが設けられて、当該開閉蓋Ｋｈを開いた状態で、カセットボンベＢの装着作業及び交換作業を行えるように構成されている。
【００５１】
都市ガス供給路Ｌ８には、都市ガス側開閉弁２１が設けられ、ボンベガス供給路Ｌ９には、ボンベガス側開閉弁２２が設けられている。尚、都市ガス側開閉弁２１及びボンベガス側開閉弁２２は、後述の如く、運転制御部Ｈにて開閉制御される。
そして、都市ガス側開閉弁２１を開きかつボンベガス側開閉弁２２を閉じると、都市ガスを燃料電池式発電モジュールＭに供給する都市ガス供給状態となり、ボンベガス側開閉弁２２を開きかつ都市ガス側開閉弁２１を閉じると、カセットボンベ式ガス供給部Ｐからのボンベガスを燃料電池式発電モジュールＭに供給するボンベガス供給状態となるように構成されている。
【００５２】
つまり、都市ガス側開閉弁２１及びボンベガス側開閉弁２２が、都市ガス供給状態とボンベガス供給状態とを切換えるガス供給切換部Ｆとして機能するように構成されている。
【００５３】
運転制御部Ｈには、運転指令用のリモコンＲ（操作部の一例）が接続されている。そして、リモコンＲに備えた指令操作部Ｒｓを操作することにより、リモコンＲが都市ガス供給状態とボンベガス供給状態とを選択する選択指令を運転制御部Ｈに指令するように構成されている。
運転制御部Ｈが、その選択指令に基づいて、都市ガス供給状態とボンベガス供給状態とを切換えるように、都市ガス側開閉弁２１及びボンベガス側開閉弁２２を開閉制御するように構成されている。
【００５４】
つまり、初期設置時には、都市ガス供給状態に設定されているが、都市ガスの供給が停止した際等において、リモコンＲにてボンベガス供給状態の選択指令を指令することができることになる。
また、都市ガスの供給が復帰した際等において、リモコンＲにて都市ガス供給状態の選択指令を指令することができることになる。
尚、リモコンＲには、各種の情報を表示する表示画面Ｒｈが備えられている。
【００５５】
都市ガス供給路Ｌ８には、都市ガスの供給圧力を検出する都市ガス側圧力センサ２３が設けられ、ボンベガス供給路Ｌ９には、ボンベガスの供給圧力を検出するボンベガス側圧力センサ２４が設けられ、その検出情報が運転制御部Ｈに入力されている。
【００５６】
燃料ガス供給路Ｌ１には、上流側から下流側に向かって、当該燃料ガス供給路Ｌ１を開閉する元ガス弁２５、当該燃料ガス供給路Ｌ１を流動する燃料ガスの流量を調節する流量調節弁２６、当該燃料ガス供給路Ｌ１を流動する燃料ガスの流量を検出する流量センサ２７、当該燃料ガス供給路Ｌ１を流動する燃料ガスの供給圧を設定圧力に調整するガバナ２８が備えられている。
【００５７】
（カセットボンベ式ガス供給部の詳細）
カセットボンベ式ガス供給部Ｐが、カセットボンベＢを接続する複数のボンベ接続部Ａをガス供給路としてのボンベガス供給路Ｌ９に対して並列に接続する形態で備えている。
ちなみに、図示は省略するが、４つのボンベ接続部Ａの夫々に対応して、カセットボンベＢを載置支持するボンベ支持枠が設けられている。
また、複数のボンベ接続部Ａの夫々とボンベガス供給路Ｌ９との連通を各別に開閉する複数の開閉弁２９を備えるように構成されている。
【００５８】
本実施形態においては、４つのボンベ接続部Ａが設けられ、４本のカセットボンベＢをカセットボンベ式ガス供給部Ｐに装着自在に構成されている。
また、４本のカセットボンベＢの夫々の装着箇所に対応して、カセットボンベＢの存否を検出する存否検出センサＳが設けられている。
尚、存否検出センサＳとしては、例えば、ボンベ接続部Ａに接続されたカセットボンベＢにて押圧操作される押操作式スイッチを用いて構成することができる。
【００５９】
（運転制御について）
運転制御部Ｈは、上述の如く、リモコンＲから都市ガス供給状態とボンベガス供給状態とを選択する選択指令が指令されると、その選択指令に基づいて、都市ガス供給状態とボンベガス供給状態とを切換えるように、都市ガス側開閉弁２１及びボンベガス側開閉弁２２を開閉制御するように構成されている。
【００６０】
運転制御部Ｈは、都市ガス供給状態において、リモコンＲから運転開始指令が指令された場合には、都市ガス側圧力センサ２３の検出値が、都市ガスが正常に供給されていることを示す設定供給圧力以上であるときには、元ガス弁２５を開く処理を実行するように構成されている。
尚、運転制御部Ｈは、都市ガス供給状態において、リモコンＲから運転開始指令が指令された場合には、元ガス弁２５を開く処理に加えて、燃料電池式発電モジュールＭの各部を昇温する起動運転を実行し、その後、燃料電池式発電モジュールＭにて発電する発電運転を実行することになる。
【００６１】
運転制御部Ｈは、ボンベガス供給状態において、リモコンＲから運転開始指令が指令された場合には、ボンベガス側圧力センサ２４の検出値が、ボンベガスが正常に供給されていることを示す設定供給圧力以上であるときには、元ガス弁２５を開く処理を実行するように構成されている。
尚、運転制御部Ｈは、ボンベガス供給状態において、リモコンＲから運転開始指令が指令された場合には、元ガス弁２５を開く処理に加えて、燃料電池式発電モジュールＭの各部を昇温する起動運転を実行し、その後、燃料電池式発電モジュールＭにて発電する発電運転を実行することになる。
【００６２】
運転制御部Ｈは、都市ガス供給状態において、都市ガス側圧力センサ２３の検出値が、都市ガスが正常に供給されていることを示す設定供給圧力よりも低くなる、あるいは、リモコンＲから停止指令が指令されることにより停止条件が満たされる、元ガス弁２５を閉じる処理を実行するように構成されている。
同様に、運転制御部Ｈは、ボンベガス供給状態において、ボンベガス側圧力センサ２４の検出値が、ボンベガスが正常に供給されていることを示す設定供給圧力よりも低くなる、あるいは、リモコンＲから停止指令が指令されることにより停止条件が満たされると、元ガス弁２５を閉じる処理を実行するように構成されている。
【００６３】
運転制御部Ｈは、ボンベガス供給状態での発電運転の実行中等において、都市ガス側圧力センサ２３の検出値が設定供給圧力以上である場合には、リモコンＲの表示画面Ｒｈに、都市ガスが正常に供給されていることを示す都市ガス正常情報を表示するように構成されている。
したがって、使用者は、ボンベガス供給状態の実行中において、リモコンＲの表示画面Ｒｈに表示される都市ガス正常情報にて、都市ガス供給状態の選択指令を指令できることになる。
【００６４】
（運転条件について）
運転制御部Ｈは、都市ガス供給状態及びボンベガス供給状態での発電運転において、燃料電池式発電モジュールＭに供給される燃料ガスの種別に応じて、燃料電池式発電モジュールＭの運転条件を設定するように構成されている。
燃料電池式発電モジュールＭの運転条件として、本実施形態においては、燃料ガスの供給量及び蒸発部２に供給する改質水の供給量を燃料ガスの種別に応じて設定するように構成されている。
【００６５】
すなわち、ブタンを主成分として多く含むボンベガスは、メタンを主成分として多く含む都市ガスよりも熱量（発熱量）が３倍程度高いものであるから、燃料ガスの供給量を、都市ガス供給状態に較べて、ボンベガス供給状態においては、３分の１程度に設定することになる。尚、燃料ガスの供給量は、燃料電池式発電モジュールＭのセルスタック６の温度等、各部の検出温度に基づいて微調節されることになる。
ちなみに、燃料ガスの供給量に応じて、給気部９からの空気供給量を適切な量に調節するために給気ブロア１０の駆動速度が調整されることになる。
【００６６】
また、ブタンを主成分として多く含むボンベガスは、メタンを主成分として多く含む都市ガスよりも、分子当たりの炭素が多いので、スチームカーボン比（Ｓ/Ｃ）を、ボンベガス供給状態においては都市ガス供給状態に較べて、高めに設定することになる。
【００６７】
つまり、運転制御部Ｈは、燃料ガスの供給量を燃料ガスの種別に応じて設定する燃料ガス供給量設定処理、及び、改質水の供給量を燃料ガスの種別に応じて設定する改質水供給量設定処理を実行するように構成されている。
説明を加えると、運転制御部Ｈは、燃料ガス供給量設定処理において、流量センサ２７にて検出される燃料ガスの流量が目標流量となるように、流量調節弁２６の開度を調節する制御を実行することになる。
【００６８】
運転制御部Ｈは、改質水供給量設定処理において、目標スチームカーボン比（Ｓ/Ｃ）となる目標供給量の改質水を供給すべく、改質水ポンプ１８の駆動速度を制御することになる。つまり、例えば、改質用水供給路Ｌ２に設けた改質水流量センサ３０にて検出される改質水の流量が目標供給量となるように、改質水ポンプ１８の駆動速度を制御することになる。
【００６９】
（カセットボンベの切換え）
運転制御部Ｈが、ボンベガス供給状態での発電運転中においては、順次新たなカセットボンベＢをボンベガス供給路Ｌ９に接続する状態に切換る処理を実行するように構成されている。
つまり、運転制御部Ｈが、複数のボンベ接続部Ａをボンベガス供給路Ｌ９に対して択一的に連通させ、且つ、ボンベガス供給路Ｌ９に連通するボンベ接続部Ａに接続されたカセットボンベＢからボンベガスを供給するガス供給時間が設定継続時間に達するごとに、他のボンベ接続部Ａをボンベガス供給路Ｌ９に連通する状態に切換える形態で、複数の開閉弁２９を開閉制御する処理を実行するように構成されている。
【００７０】
また、運転制御部Ｈが、ボンベガス供給状態での発電運転中において、リモコンＲの表示画面Ｒｈ（表示部の一例）に、複数のボンベ接続部Ａに接続された複数本のカセットボンベＢについての使用済み情報を表示する使用済情報表示処理を実行するように構成されている。
つまり、例えば、表示画面Ｒｈに、複数本のカセットボンベＢの並置状態を概略的に表示し、かつ、表示する複数本のカセットボンベＢの表示形態を、使用済みか否かで異なる表示形態にするように構成されている。
【００７１】
ちなみに、運転制御部Ｈは、カセットボンベＢの存否を検出する存否検出センサＳの検出情報に基づいて、複数のボンベ接続部Ａの夫々に対して装着されているカセットボンベＢの存否を確認し、且つ、各存否検出センサＳが否存在検出状態から存在検出状態になると、満杯状態のカセットボンベＢが装着されたと判断するように構成されている。
【００７２】
尚、運転制御部Ｈは、複数のカセットボンベＢのうちの、先に装着されたカセットボンベＢに収納されているボンベガスを先に消費する形態で、カセットボンベＢを切換える処理を実行するように構成されている。
【００７３】
（ボンベガス供給処理について）
次に、ボンベガス供給状態において、運転制御部Ｈがボンベガスの供給のために実行するボンベガス供給処理について、図２のフローチャートに基づいて説明する。
先ず、運転開始指令が指令されているか否かを判別し（＃１）、運転開始指令が指令されている場合には、続いて、ボンベガス側圧力センサ２４の検出値が設定供給圧力以上であるか否かを判別する（＃２）。
【００７４】
＃２の処理にて、ボンベガス側圧力センサ２４の検出値が設定供給圧力以上であると判別した場合には、元ガス弁２５を開くボンベガス供給開始処理を実行する（＃３）。
また、＃２の処理にて、ボンベガス側圧力センサ２４の検出値が設定供給圧力未満であると判別した場合には、ボンベガスを供給する処理を終了する。
【００７５】
＃３の処理を実行した後は、次に、ボンベガス供給路Ｌ９に連通するボンベ接続部Ａに接続されたカセットボンベＢからボンベガスを供給するガス供給時間をカウントするガス供給時間カウント処理を実行し（＃４）、続いて、ガス供給時間が設定継続時間に達した時点であるカセットボンベ切換タイミングであるか否かを判別する（＃５）。
【００７６】
＃５の処理にて、カセットボンベ切換タイミングであると判別した場合には、他のボンベ接続部Ａをボンベガス供給路Ｌ９に連通する状態に切換えるように、複数の開閉弁２９を開閉制御するカセットボンベ切換処理を実行し（＃６）、続いて、表示画面ＲｈにカセットボンベＢの使用済み情報を表示する使用済情報表示処理を実行する（＃７）。
【００７７】
＃５の処理にて、カセットボンベ切換タイミングでないと判別した場合や、＃７の処理を実行した場合は、続いて、ボンベガス側圧力センサ２４の検出値が設定供給圧力未満になる、あるいは、リモコンＲから停止指令が指令されることにより停止条件が満たされているか否かを判別し（＃８）、停止条件が満たされていると、元ガス弁２５を閉じるボンベガス供給停止処理（＃９）を実行して、ボンベガスの供給を終了する。
【００７８】
また、＃８の処理にて、停止条件が満たされていないと判別した場合には、＃４の処理に移行して、ボンベガスの供給を継続する。
【００７９】
＜別実施形態＞
以下、その他の別実施形態を列記する。
（１）上記実施形態では、発電部として、燃料電池式発電モジュールＭを備える場合を例示したが、発電部として、ガスエンジンにて駆動される発電機を備える形態で実施してもよい。
【００８０】
（２）上記実施形態では、固体酸化物形に構成された燃料電池セル５を、燃料電池発電部として備える形態を例示したが、燃料電池発電部として、固体高分子形燃料電池を備える形態で実施してもよい。
この場合において、発電部の運転条件として、燃料ガスの流量の調節や、スチームカーボン比（Ｓ/Ｃ）の調節に加えて、改質部３を加熱するバーナへの燃料供給量の調整により、改質部３の加熱温度を調整するようにしてもよい。
【００８１】
（３）上記実施形態では、カセットボンベ式ガス供給部Ｐに４本のカセットボンベＢを装着する場合を例示したが、カセットボンベ式ガス供給部Ｐに装着するカセットボンベＢの数は、２本、３本、又は、５本以上にする等、各種変更できる。
【００８２】
（４）上記実施形態では、ボンベガス供給状態において、都市ガス供給状態の選択指令が指令されると、都市ガス供給状態に切換える場合を例示したが、ボンベガス供給状態において、都市ガス側圧力センサ２３の検出値が、都市ガスが正常に供給されていることを示す設定供給圧力以上になると、運転制御部Ｈが、都市ガス供給状態に自動的に切換える形態で実施してもよい。
【００８３】
（５）本発明を実施するに、燃料ガスの熱量や成分等を判別する燃料ガス種判別部を設けて、当該燃料ガス種判別部の判別結果に基づいて、発電部の運転条件を設定する形態で実施してもよい。
【００８４】
尚、上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００８５】
３      改質部
５      燃料電池発電部
２９    開閉弁
Ａ      ボンベ接続部
Ｂ      カセットボンベ
Ｆ      ガス供給切換部
Ｈ      運転制御部
Ｌ９    ボンベガス供給路
Ｍ      発電部
Ｐ      カセットボンベ式ガス供給部
Ｑ      都市ガス供給部
Ｒ      操作部
Ｒｈ    表示部
【図１】
2020107558.tif 000003
【図２】
2020107558.tif 000004